(57)【要約】【課題】  ファイナライズをダイレクトに実行できるようにすることによって、ファイナライズ処理を簡単化するとともに、ファイナライズの終了をユーザにタイムリーに知らせる。【解決手段】  システムコントローラ１０は、装填されている光ディスク１がＲタイプであるときには、ファイナライズキー１８ａが長押しまたは２度押しされることによってファイナライズ処理を実行し、装填されている光ディスク１がＲＷタイプであるときには、ファイナライズキー１８ａが１度押されることによってファイナライズ処理を実行する。また、装填されている光ディスク１がＲタイプであるときには、ファイナライズ解除キー１８ｂの操作を無効として扱い、装填されている光ディスク１がＲＷタイプである場合にのみファイナライズ解除キー１８ｂの操作を有効としてファイナライズ処理を解除する。【選択図】  図１
2006018962.tif 000002
【特許請求の範囲】
【請求項１】
装填された記録媒体のファイナライズ処理を行うファイナライズ手段を有するとともに、前記記録媒体がデータを１度だけ書き込める第１のタイプまたは何度でも消去と書き換えが可能な第２のタイプのいずれかである情報記録装置において、
前記記録媒体のタイプを判別する判別手段と、
装置本体に設けられたファイナライズ処理の終了を電子音、またはランプによる点灯または点滅により報知する報知手段と、
前記装置本体及び／またはリモコン送信機に設けられた、前記ファイナライズ手段での処理を実行させるためのファイナライズキーと、
前記装置本体及び／または前記リモコン送信機に設けられた、前記ファイナライズ手段によるファイナライズ処理を解除するファイナライズ解除キーとを備えており、
前記ファイナライズ手段は、前記判別手段による判別の結果、装填されている記録媒体が第１のタイプであるときには、前記ファイナライズキーが長押しまたは２度押しされることによってファイナライズ処理を実行し、装填されている記録媒体が第２のタイプであるときには、前記ファイナライズキーが１度押されることによってファイナライズ処理を実行する一方、前記判別手段による判別の結果、装填されている記録媒体が第１のタイプであるときには、前記ファイナライズ解除キーの操作を無効として扱い、装填されている記録媒体が第２のタイプである場合にのみ前記ファイナライズ解除キーの操作を有効としてファイナライズ処理を解除し、
前記報知手段は、ファイナライズ処理が正常に終了した場合と失敗した場合とで報知形態を異ならせて報知するとともに、この報知形態をユーザが任意に設定可能に設けられていることを特徴とする情報記録装置。
【請求項２】
装填された記録媒体のファイナライズ処理を行うファイナライズ手段を有する情報記録装置において、
前記ファイナライズ手段での処理を実行させるためのファイナライズキーが装置本体及び／またはリモコン送信機に設けられていることを特徴とする情報記録装置。
【請求項３】
前記記録媒体がデータを１度だけ書き込める第１のタイプまたは何度でも消去と書き換えが可能な第２のタイプのいずれかであり、装填されている記録媒体のタイプに応じてファイナライズを実行させるための前記ファイナライズキーのキー操作を異ならせることを特徴とする請求項２に記載の情報記録装置。
【請求項４】
前記記録媒体のタイプを判別する判別手段を備えており、
前記ファイナライズ手段は、前記判別手段による判別の結果、装填されている記録媒体が第１のタイプであるときには、前記ファイナライズキーが長押しまたは２度押しされることによってファイナライズ処理を実行し、装填されている記録媒体が第２のタイプであるときには、前記ファイナライズキーが１度押されることによってファイナライズ処理を実行することを特徴とする請求項３に記載の情報記録装置。
【請求項５】
前記ファイナライズ手段によるファイナライズ処理を解除するファイナライズ解除キーが装置本体及び／またはリモコン送信機に設けられていることを特徴とする請求項２ないし請求項４のいずれかに記載の情報記録装置。
【請求項６】
前記ファイナライズ解除キーが前記ファイナライズキーと兼用されていることを特徴とする請求項５に記載の情報記録装置。
【請求項７】
前記ファイナライズ解除キーは、装填されている記録媒体が第２のタイプである場合にのみその操作を有効として扱い、装填されている記録媒体が第１のタイプであるときにはその操作を無効として扱うことを特徴とする請求項５または請求項６に記載の情報記録装置。
【請求項８】
前記装置本体に、ファイナライズ処理の終了を報知する報知手段が設けられていることを特徴とする請求項２ないし請求項７のいずれかに記載の情報記録装置。
【請求項９】
前記報知手段は、ファイナライズ処理が正常に終了した場合と失敗した場合とで報知形態を異ならせることを特徴とする請求項８に記載の情報記録装置。
【請求項１０】
前記報知手段が電子音を発する発音体またはランプであることを特徴とする請求項９に記載の情報記録装置。
【請求項１１】
ファイナライズ処理が正常に終了した場合と失敗した場合の報知形態をユーザが設定可能であることを特徴とする請求項９に記載の情報記録装置。
【発明の詳細な説明】
【技術分野】
【０００１】
本発明は、装填された記録媒体のファイナライズ処理を行うファイナライズ手段を有する情報記録装置に関する。
【背景技術】
【０００２】
記録媒体であるＣＤやＤＶＤ等のディスクは、１度だけ書き込める第１のタイプ（Ｒタイプ）と、何度でも消去と書き換えが可能な第２のタイプ（ＲＷタイプ）の２種類のタイプがあるが、このようなディスクにデータを記録した場合、そのディスクを他の情報記録装置でも再生できるようにするためには、ディスクのファイナライズを必ず行う必要がある。
【０００３】
この場合、ファイナライズ処理は、通常、リモコン送信機に設けられている編集キーを操作してモニタ画面上に編集項目の一覧を表示し、その中からファイナライズの項目を選択して実行するといった操作手順が一般的であった。
【０００４】
一方、このようなディスクのファイナライズ処理では、そのディスクに僅かな情報しか記録されていない状態でファイナライズ処理を実行すると、再生時を考慮して、その空き領域の所定位置まで記録する必要があるため、ファイナライズ処理に時間がかかる場合があった。例えば、ＤＶＤ−Ｖｉｄｅｏモードでは５分程度、ＤＶＤ−ＶＲモードでは１時間程度もかかる場合があった。そのため、ユーザは、ファイナライズ処理中に、ファイナライズが終了したか否かをときどき確認する必要があり、またファイナライズ終了時に例えば隣の部屋等に居た場合には、ファイナライズが終了してもこれを知ることができないといった不具合があった。そこで、このようなファイナライズ処理時間の短縮化を図ることによってユーザの便宜を図った情報記録装置が提案されている（例えば、特許文献１，２参照）。
【特許文献１】特開２００４−９５１６４号公報
【特許文献２】特開２００３−１３２６３０号公報
【発明の開示】
【発明が解決しようとする課題】
【０００５】
上記したように、ファイナライズ処理の操作は、リモコン送信機の編集キーを操作してモニタ画面上に編集項目の一覧を表示し、その中からファイナライズの項目を選択して実行するといった操作手順であるため、ユーザにとって分かりづらい操作となっていた。
【０００６】
また、ファイナライズ処理には時間がかかる場合があるため、上記特許文献１，２のように処理時間の短縮を図ったとしても、ファイナライズが終了したか否かをときどき確認する必要があることには変わりなく、またファイナライズ終了時に例えば隣の部屋等に居た場合には、ファイナライズが終了してもこれを知ることができないといった不具合も依然として残されているといった問題があった。
【０００７】
本発明はかかる問題点を解決すべく創案されたもので、その目的は、ファイナライズをダイレクトに実行できるようにすることによって、ファイナライズ処理を簡単化するとともに、ファイナライズの終了をユーザにタイムリーに知らせることのできる情報記録装置を提供することにある。
【課題を解決するための手段】
【０００８】
上記課題を解決するため、本発明の情報記録装置は、装填された記録媒体のファイナライズ処理を行うファイナライズ手段を有する情報記録装置において、ファイナライズ手段での処理を実行させるためのファイナライズキーが装置本体及び／またはリモコン送信機に設けられていることを特徴としている。このように、ファイナライズキーを装置本体及び／またはリモコン送信機に直接設けることにより、ファイナライズをダイレクトに実行することができる。また、装置本体の目に付き易い部分に「ファイナライズ」と表示することで、ユーザのファイナライズに対する認識も向上する。
【０００９】
この場合、記録媒体がデータを１度だけ書き込める第１のタイプ（Ｒタイプ）または何度でも消去と書き換えが可能な第２のタイプ（ＲＷタイプ）のいずれかであり、装填されている記録媒体のタイプに応じてファイナライズを実行させるためのファイナライズキーのキー操作を異ならせるようにしてもよい。
【００１０】
具体的には、記録媒体のタイプを判別する判別手段を備えており、ファイナライズ手段は、判別手段による判別の結果、装填されている記録媒体が第１のタイプ（Ｒタイプ）であるときには、ファイナライズキーが長押しまたは２度押しされることによってファイナライズ処理を実行し、装填されている記録媒体が第２のタイプ（ＲＷタイプ）であるときには、ファイナライズキーが１度押されることによってファイナライズ処理を実行するように構成してもよい。つまり、記録媒体がＲタイプである場合、ファイナライズ処理は１回のみしか行えないため、ユーザが不用意にファイナライズキーを押してしまった場合にすぐさまファイナライズ処理を実行しないように、２度押しや長押しとしている。一方、記録媒体がＲＷタイプである場合には、何度も書き換え可能であるため、ファイナライズキーの操作を通常通り１度押しとしている。
【００１１】
また、本発明によれば、ファイナライズ手段によるファイナライズ処理を解除するファイナライズ解除キーを装置本体及び／またはリモコン送信機に設けてもよい。この場合、ファイナライズ解除キーをファイナライズキーと兼用することも可能である。そして、ファイナライズ解除キーは、装填されている記録媒体がＲＷタイプである場合にのみその操作を有効として扱い、装填されている記録媒体がＲタイプであるときにはその操作を無効として扱うように構成する。
【００１２】
一方、装置本体に、ファイナライズ処理の終了を報知する報知手段を設けてもよい。報知手段としては、電子音を発する発音体である電子ブザーまたはＬＥＤ等のランプを用いることができる。この場合、報知手段は、ファイナライズ処理が正常に終了した場合と失敗した場合とで報知形態を異ならせるように構成することが可能である。例えば、電子音であれば、「ピッ、ピッ、ピッ、・・」という短い音の繰り返しと、「ピー、ピー、ピー、・・・」という長い音の繰り返しで正常終了時（成功時）と失敗時とを区別することができる。この他にも、例えばメロディーを報知するように構成し、成功時と失敗時とでメロディーを変えることも可能である。また、ＬＥＤ等の場合には、成功時には点灯、失敗時には点滅というように、点灯と点滅で区別することも可能である。なお、このような報知形態は、ユーザによって任意に設定可能に構成することもできる。例えば、メロディーであれば、予め内部に何種類かのメロディー（曲）を用意しておき、ユーザがその中から成功時と失敗時に報音するメロディーを選択できるようにすればよい。これにより、報知音をユーザ自身が選択しているので、成功時と失敗時の報知音を聞き間違えるといった不具合も発生しない。
【発明の効果】
【００１３】
本発明の情報記録装置によれば、ファイナライズキーを装置本体及び／またはリモコン送信機に直接設けることで、記録終了後の記録媒体のファイナライズをダイレクトに実行可能となり、ファイナライズを簡単に行うことができる。また、装置本体やリモコン送信機といった目に付き易い部分にファイナライズキーを設けることで、ユーザのファイナライズに対する認識も向上させることができる。また、ファイナライズ解除キーを設けることで、書き換え可能なタイプの記録媒体では、必要に応じてファイナライズの解除をダイレクトに実行することができる。
【００１４】
また、本発明の情報記録装置によれば、ファイナライズの終了を報知する報知手段を設けたので、ユーザはファイナライズ処理中にファイナライズが終了したかチェックする必要が無くなり、ユーザが別の作業を行っていてもファイナライズが終了したことを知ることができる。また、装置本体から報知するため、接続されているテレビジョン受像機の電源がオフであっても報知することができる。
【発明を実施するための最良の形態】
【００１５】
以下、本発明の実施の形態について、図面を参照して説明する。
【００１６】
図１は、本発明の情報記録装置であるＤＶＤレコーダのシステム構成を示している。
【００１７】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００１８】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルのテレビジョン放送信号を受信するチューナ回路（ＢＳチューナ，ＣＳチューナ等）１６が接続されている。
【００１９】
システムコントローラ１０には、光ディスク１のパラメータやレーザパワーのパラメータ等の固有情報を格納しておくためのＥＥＰＲＯＭ１１が双方向に接続されているとともに、リモコン送信機１８からの赤外線信号を受信する受信部１４と装置本体前面に設けられたキー入力部１５とが接続されている。また、システムコントローラ１０には、装置本体前面に設けられたＬＣＤ等からなる表示パネル１３が接続されているとともに、後述するファイナライズ処理の終了を知らせる報知部１７が接続されている。
【００２０】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００２１】
システムコントローラ１０は、図示は省略しているがＣＰＵ、ＲＯＭ、ＲＡＭ等から構成されており、後述するファイナライズキーのキー操作により、装填されている光ディスク１のファイナライズ処理を実行する。この処理を実行するためのプログラムはＲＯＭに予め格納されており、システムコントローラ１０は、ファイナライズ処理の実行時にはＲＯＭから読み込んだプログラムをＲＡＭ上に展開して処理を実行する。
【００２２】
図２は、ＤＶＤレコーダの正面図である。
【００２３】
コレーダ本体３０の前面には、中央部に光ディスク１を載置して本体内に装填するための図示しないトレイを開閉するトレイ開閉部３１が設けられており、このトレイ開閉部３１の例えば左側に表示パネル１３が、右側に電源キー１５ａやトレイの開閉キー１５ｂを含むキー操作部１５がそれぞれ配置されている。本実施形態では、このキー操作部１５にファイナライズキー１５ｃとファイナライズ解除キー１５ｄとを設けている。また、ファイナライズキー１５ｃの上部に「ファイナライズ」と明記されており、このキーがファイナライズキーであることをユーザに明示している。ファイナライズ解除キー１５ｄについても同様である。なお、図１に示すように、リモコン送信機１８にもファイナライズキー１８ａとファイナライズ解除キー１８ｂとを設けておいてもよい。ただし、ファイナライズキー及びファイナライズ解除キーは、少なくともレコーダ本体３０またはリモコン送信機１８のいずれか一方にのみ設ければよいが、ユーザの使い勝手を考慮すると、両方に設けておくのがよい。
【００２４】
報知部１７は、ファイナライズの終了を電子音やメロディー等で報知する発音体である電子ブザーを備えている。ただし、報知部１７としては、このような電子音による報知の他にも、ＬＥＤランプ等による点灯または点滅によってユーザに報知するように構成することも可能である。この場合、ＬＥＤランプ１７ａは、図２に示すように、ファイナライズキー１５ｃのそばに設けておく。これにより、ＬＥＤランプ１７ａとファイナライズキー１５ｃとの関連性が明確になる。
【００２５】
光ディスク１であるＤＶＤディスクには、データを１度だけ書き込めるＲタイプと、何度でも消去と書き換えが可能なＲＷタイプとがある。従って、システムコントローラ１０は、光ディスク１のタイプを判別する判別機能を備えており、装填されている光ディスク１のタイプに応じてファイナライズキーの操作によるファイナライズ処理の実行を制御するようになっている。
【００２６】
次に、システムコントローラ１０によるファイナライズ処理について、図３に示すフローチャートを参照して説明する。
【００２７】
システムコントローラ１０は、装置本体３０に設けられたファイナライズキー１５ｃまたはリモコン送信機１８に設けられたファイナライズキー１８ａの何れかがユーザによって押されたか否かを常に監視している（ステップＳ１）。そして、何れかのファイナライズキーが押されると（ステップＳ１でＹｅｓと判断されると）、システムコントローラ１０は、装填されている光ディスク１がＲタイプであるのかＲＷタイプであるのかの判別を行う（ステップＳ２）。ただし、タイプ判別はファイナライズキーが押されたか否かに係わらず、光ディスク１が装填された時点で行ってもよい。
【００２８】
その結果、装填されている光ディスク１が１度だけ書き込みが行えるＲタイプである場合には、ステップＳ１でのキー操作が長押しまたは２度押しされたかどうかを判断する（ステップＳ３）。そして、ファイナライズキーが長押しまたは２度押しされている場合（ステップＳ３でＹｅｓと判断された場合）には、ファイナライズ処理を実行する（ステップＳ４）。つまり、光ディスク１がＲタイプである場合、ファイナライズ処理は１回のみしか行えないため、ユーザが不用意にファイナライズキーを押してしまった場合にすぐさまファイナライズ処理を実行しないように、２度押しや長押しとしている。
【００２９】
一方、タイプ判別の結果、装填されている光ディスク１が何度でも消去と書き換えが可能なＲＷタイプである場合には、ステップＳ１でのキー操作に従い、そのキー操作が１度押しであっても、ファイナライズ処理を実行する(ステップＳ４)。つまり、光ディスク１がＲＷタイプである場合には、何度も書き換え可能であるため、ファイナライズキーの操作を通常通り１度押しとしている。
【００３０】
この後、システムコントローラ１０は、ファイナライズ処理が正常に終了したかどうかを確認する（ステップＳ５）。そして、ファイナライズ処理が正常に終了した場合（ステップＳ５でＹｅｓと判断された場合）には、システムコントローラ１０は報知部１７を制御して、ファイナライズ処理の正常終了を知らせる報知を行う（ステップＳ６）。一方、ファイナライズ処理が何らかの理由で正常に終了しなかった場合（ステップＳ５でＮｏと判断された場合）には、システムコントローラ１０は報知部１７を制御して、ファイナライズ処理が正常終了しなかったことを報知する（ステップＳ７）。
【００３１】
ここで、報知部１７が電子音による報知機能を有している場合には、ファイナライズ処理が正常終了した場合の報知処理（ステップＳ６での報知処理）として、例えば「ピッ、ピッ、ピッ、・・」という短い音の繰り返しによりユーザにファイナライズ正常終了を報知する。一方、ファイナライズ処理が正常終了しなかった場合の報知処理（ステップＳ７での報知処理）として、例えば「ピー、ピー、ピー、・・・」という長い音の繰り返しによりユーザにファイナライズ処理の失敗を報知する。このように、ファイナライズ処理の正常終了（成功時）と失敗時とで電子音を区別することで、ユーザは、その音を聞いただけでファイナライズ処理の結果を即座に知ることができる。
【００３２】
また、報知部１７が電子音によるメロディーを報知する機能を有している場合には、ファイナライズ処理の成功時と失敗時とでメロディーを変えておけばよい。このようにファイナライズ処理の成功時と失敗時とでメロディーを変えておくことで、ユーザは、そのメロディーを聞いただけでファイナライズ処理の結果を即座に知ることができる。
【００３３】
さらに、報知部１７がＬＥＤランプ１７ａを備えている場合には、このＬＥＤランプ１７ａの点灯または点滅によってファイナライズ処理の終了を報知するようにしてもよい。具体的には、例えば、ファイナライズ処理を正常に終了した場合には、ＬＥＤランプ１７ａを点灯し、正常に終了しなかった場合には、ＬＥＤランプ１７ａを点滅させる。これにより、ユーザは、ＬＥＤランプ１７ａの点灯状態を目視により確認することで、ファイナライズ処理の結果を即座に知ることができる。
【００３４】
ここで、報知部１７の報知音については、ユーザが任意に設定可能に設けてもよい。例えば、メロディーであれば、予め内部メモリ（本実施形態では、例えばＥＥＰＲＯＭ１１）に何種類かのメロディーを用意しておき、ユーザがその中からファイナライズ処理の成功時と失敗時に鳴らすメロディーを選択できるようにすればよい。これにより、メロディーをユーザ自身が選択しているので、成功時と失敗時のメロディーを聞き間違えるといった不具合も発生しない。
【００３５】
次に、システムコントローラ１０によるファイナライズの解除処理について、図４に示すフローチャートを参照して説明する。
【００３６】
システムコントローラ１０は、装置本体３０に設けられたファイナライズ解除キー１５ｄまたはリモコン送信機１８に設けられたファイナライズ解除キー１８ｂの何れかがユーザによって押されたか否かを常に監視している（ステップＳ１１）。そして、何れかのファイナライズ解除キーが押されると（ステップＳ１１でＹｅｓと判断されると）、システムコントローラ１０は、その時点で装填されている光ディスク１がＲタイプであるのかＲＷタイプであるのかの判別を行う（ステップＳ１２）。
【００３７】
その結果、装填されている光ディスク１が１度だけ書き込みが行えるＲタイプである場合には、ステップＳ１１でのキー操作を無効として扱う。つまり、ファイナライズの解除処理は行わない。一方、タイプ判別の結果、装填されている光ディスク１が何度でも消去と書き換えが可能なＲＷタイプである場合には、ステップＳ１１でのキー操作に従い、ファイナライズの解除処理を実行する(ステップＳ１３)。つまり、光ディスク１がＲＷタイプである場合には、何度も書き換え可能であるため、ファイナライズの解除処理を行うようにしている。
【００３８】
なお、上記実施形態では、ファイナライズキーとファイナライズ解除キーとを個別に設けているが、ファイナライズ解除キーをファイナライズキーと兼用してもよい。これにより、配置するキー数を削減できるとともに、キーの配置スペースも十分に確保することができる。兼用する場合、ファイナライズキーを例えば３回連続して押した場合にはファイナライズ解除キーとして機能するように設定しておけばよい。
【００３９】
また、上記実施形態では、本発明の情報記録装置をＤＶＤレコーダに適用した場合について説明しているが、ＣＤレコーダにも同様に適用可能であることは当然である。
【図面の簡単な説明】
【００４０】
【図１】本発明の情報記録装置をＤＶＤレコーダに適用した場合のシステム構成図である。
【図２】ＤＶＤレコーダの正面図である。
【図３】システムコントローラによるファイナライズ処理手順を示すフローチャートである。
【図４】システムコントローラによるファイナライズ解除処理手順を示すフローチャートである。
【符号の説明】
【００４１】
１  光ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１５  キー入力部
１６  チューナ回路
１７  報知部
１８  リモコン送信機
２１  表示装置
【図１】
2006018962.tif 000003
【図２】
2006018962.tif 000004
【図３】
2006018962.tif 000005
【図４】
2006018962.tif 000006